(57)【特許請求の範囲】
【請求項１】
中実のコアの周囲に前記コアより屈折率の小さいクラッドを設けた光ファイバの一端部から導入した光源からの光を、前記光ファイバ内の全反射により他端部へ導き、光を出射する光ファイバ照明システムにおいて、
導光方向を変える前記光ファイバのコーナ部は、前記光ファイバのクラッドを除去して前記コアを露出することにより形成され、
前記コーナ部は前記コアを保護し、かつ前記コーナ部の形状を保持する保護・形状保持手段で覆われ、
前記保護・形状保持手段は、前記コーナ部を覆うように設けられたカバーと、前記カバーの両端を前記光ファイバに固定する固定手段と、前記カバー内に設けられて前記コーナ部の内周側を先端で支持する突起手段とを有することを特徴とする光ファイバ照明システム。
【請求項２】
突起手段とコーナ部の内側との間に低屈折率部材を設けた請求項１記載の光ファイバ照明システム。
【請求項３】
中実のコアの周囲に前記コアより屈折率の小さいクラッドを設けた光ファイバの一端部から導入した光源からの光を、前記光ファイバ内の全反射により他端部へ導き、光を出射する光ファイバ照明システムにおいて、
導光方向を変える前記光ファイバのコーナ部は、少なくとも光学的に前記光ファイバの略直線状部の端部で前記コアと接続された導光体を、この導光体および前記光ファイバのクラッドより低屈折率の媒体でほぼ覆ったものであり、    
前記コーナ部の前記導光体は、前記光ファイバとは別体に形成され、
前記コーナ部は前記導光体を保護し、かつ形状を保持する保護・形状保持手段で覆い、
前記保護・形状保持手段は、前記コーナ部を覆うように設けられたカバーと、前記カバーの両端を前記光ファイバに固定する固定手段と、前記カバー内に設けられて前記コーナ部の内周側および外周側に先端が接触して保持する突起手段とを有することを特徴とする光ファイバ照明システム。
【請求項４】
前記コーナ部の前記導光体が略孤状をなしている請求項１、請求項２または請求項３記載の光ファイバ照明システム。
【請求項５】
前記コーナ部の前記導光体が、その外周側の半径がＲの略円弧状に形成され、前記光ファイバの直径φであるとき、Ｒ／φ≧２．５である請求項４記載の光ファイバ照明システム。
【発明の詳細な説明】
【０００１】
【発明の属する技術分野】
この発明は、導光効率を向上させる構造を有する光ファイバ照明システムに関するものである。
【０００２】
【従来の技術】
従来例を図１０により説明する。一般に光ファイバは中実のコアの周囲にコアより屈折率の小さいクラッドを設けた樹脂製の光ファイバなどがあり、導光方向を変える場合は光ファイバを曲げて光を導光する。一般に樹脂ファイバはコア５０に軟質アクリル系樹脂、クラッド５１にフッ素系樹脂を用い、コア５０の端部に光Ｌを入射すると、光ファイバ内で全反射して導光することができる。反射屈折の関係は、同図（ｃ）に示すようにsin θ2/sin θ1 ＝n1/n2 、θ1 がθ2 ＝90°となるときの値以上、すなわちθ1 ＞sin -1(n2/n1) となるが、その光は全てコア界面で全反射して導光する。このときアクリルの屈折率n1＝１．４９、フッ素樹脂の屈折率n2＝１．３４とすると、クラッド５１がフッ素樹脂の場合、θ１＞64°となる。
【０００３】
【発明が解決しようとする課題】
しかし、樹脂ファイバを曲げて光を導光する場合、単純曲げでは、コーナ部Ｐの曲率が小さいと、クラッドに対する入射角が小さくなり、コーナ部Ｐでの光の漏れが多くなり、またコーナ部Ｐを通った光の一部がその先で漏れ、そのため導光効率が低下する。
【０００４】
すなわち、図１０に示すように光ファイバ内で全反射して導光できる光の角度範囲は、θ１＞６４°に限られ、それ以下の入射角の光Ｌはクラッド５１を透過して光漏れＬ′となる。コーナ部Ｐより入射光側の光ファイバの光軸に対して、コーナ部Ｐでの反射面（コーナの外側部分）は角度がつくために、導光光Ｌの一部がθ１≦６４°となり、光漏れを生じる。また以上のことから光漏れ量はコーナ部Ｌの曲率が小さい程多くなる。
【０００５】
したがって、この発明の目的は、光ファイバを曲げた際の導光効率を向上することができる光ファイバ照明システムを提供することである。
【０００６】
【課題を解決するための手段】
請求項１記載の光ファイバ照明システムは、中実のコアの周囲に前記コアより屈折率の小さいクラッドを設けた光ファイバの一端部から導入した光源からの光を、前記光ファイバ内の全反射により他端部へ導き、光を出射する光ファイバ照明システムにおいて、
導光方向を変える前記光ファイバのコーナ部は、前記光ファイバのクラッドを除去して前記コアを露出することにより形成され、
前記コーナ部は前記コアを保護し、かつ前記コーナ部の形状を保持する保護・形状保持手段で覆われ、
前記保護・形状保持手段は、前記コーナ部を覆うように設けられたカバーと、前記カバーの両端を前記光ファイバに固定する固定手段と、前記カバー内に設けられて前記コーナ部の内周側を先端で支持する突起手段とを有することを特徴とするものである。
【０００７】
請求項１記載の光ファイバ照明システムによれば、コーナ部の外周面がクラッドより低屈折率の媒体で覆われているため、コーナ部での導光ロスを低減でき、システムの導光効率を向上することができる。またコーナ部の曲率半径を小さくできることからコーナ部がコンパクトになり、狭い空間でも効率的に設置できる。
この場合、コーナ部の導光体が、光ファイバのクラッドを除去してコアを露出することにより形成されているため、最も導光ロスを低減でき、かつ狭い空間でも効率的に設置できる。
また、コーナ部の前記導光体を保護し、かつコーナ部の形状を保持する保護・形状保持手段で覆ったため、コーナ部の形状を容易に維持でき、かつ導光体に塵や埃が付着しにくくなる。また、コーナ部にコアが剥き出しであっても、保護・形状保持手段を設けることにより導光体の周囲が設置位置周辺の部材との接触、塵や埃の付着を防止でき、安定して空気が覆われることになるため、安定した導光効率が得られる。
【０００８】
請求項２記載の光ファイバ照明システムは、請求項１において、突起手段とコーナ部の内側との間に低屈折率部材を設けたものである。
【０００９】
請求項２記載の光ファイバ照明システムによれば、請求項１と同様な効果のほか、突起手段とコーナ部の接触界面からの光漏れを防止できる。
【００１０】
請求項３記載の光ファイバ照明システムは、中実のコアの周囲に前記コアより屈折率の小さいクラッドを設けた光ファイバの一端部から導入した光源からの光を、前記光ファイバ内の全反射により他端部へ導き、光を出射する光ファイバ照明システムにおいて、
導光方向を変える前記光ファイバのコーナ部は、少なくとも光学的に前記光ファイバの略直線状部の端部で前記コアと接続された導光体を、この導光体および前記光ファイバのクラッドより低屈折率の媒体でほぼ覆ったものであり、    
前記コーナ部の前記導光体は、前記光ファイバとは別体に形成され、
前記コーナ部は前記導光体を保護し、かつ形状を保持する保護・形状保持手段で覆い、
前記保護・形状保持手段は、前記コーナ部を覆うように設けられたカバーと、前記カバーの両端を前記光ファイバに固定する固定手段と、前記カバー内に設けられて前記コーナ部の内周側および外周側に先端が接触して保持する突起手段とを有することを特徴とするものである。
【００１１】
請求項３記載の光ファイバ照明システムによれば、導光体の外周面が導光体およびクラッドより低屈折率の媒体で覆われているため、コーナ部での導光ロスを低減でき、システムの導光効率を向上することができる。またコーナ部の曲率半径を小さくできることからコーナ部がコンパクトになり、狭い空間でも効率的に設置できる。
またコーナ部の導光体は、光ファイバとは別体に形成されているため、コーナ部のクラッドを除去したりコーナ部の形状を形成する工数が省け、施工性を向上することができる。また光ファイバのコーナ部での応力集中による劣化を防止でき、耐久性を向上できる。
保護・形状保持手段により、コーナ部の形状を容易に維持でき、かつ導光体に塵や埃が付着しにくくなる。また、コーナ部にコアが剥き出しであっても、保護・形状保持手段を設けることにより導光体の周囲が設置位置周辺の部材との接触、塵や埃の付着を防止でき、安定して空気が覆われることになるため、安定した導光効率が得られる。
【００１２】
請求項４記載の光ファイバ照明システムは、請求項１、請求項２または請求項３において、前記コーナ部の前記導光体が略孤状をなしているものである。
【００１３】
請求項４記載の光ファイバ照明システムによれば、請求項１、請求項２または請求項３と同様な効果のほか、さらにコーナ部での導光ロスを低減でき、システムの効率を向上できるとともにコーナ部がコンパクトになる。
【００１４】
請求項５記載の光ファイバ照明システムは、請求項４において、前記コーナ部の前記導光体が、その外周側の半径がＲの略円弧状に形成され、前記光ファイバの直径φであるとき、Ｒ／φ≧２．５としたものである。
【００１５】
請求項５記載の光ファイバ照明システムによれば、請求項４と同様な効果のほか、最も導光効率が良くかつコンパクトな構造となる。
【００２０】
【発明の実施の形態】
この発明の請求項１に対応する第１の実施の形態を図１により説明する。すなわち、この光ファイバ照明システムは、中実のコア１の周囲にコア１より屈折率の小さいクラッド２を設けた光ファイバ３の一端部４から導入した光源からの光を、光ファイバ３内の全反射により他端部５へ導き、光を出射するものである。この場合において、導光方向を変える光ファイバ３のコーナ部９は、少なくとも光学的に光ファイバ３の略直線状部６の端部６ａでコア１と接続された導光体７を、この導光体７および光ファイバ３のクラッド２より低屈折率の媒体８でほぼ覆っている。
【００２１】
実施の形態では、光ファイバ３の直線部６のコア１に軟質アクリル系樹脂を用い、その周囲のクラッド２にフッ素樹脂を用いている。またコーナ部９の導光体７は略直線状部６と同じ材料のコアを連続させて曲げたものであり、媒体８は内面にシリカエアロゲル１０を塗布したフッ素樹脂のクラッド材１１としている。シリカエアロゲル１０は直径数ｎｍのシリカ粒子が数十ｎｍの均一な直径をもつ数珠状につながってできた極細空隙の多孔体で、きわめて低屈折率（ｎ＝１．０１〜１．１）の物質であり、空気の屈折率ｎ≒１．００にきわめて近い値である。
【００２２】
コーナ部９の導光体７の周面を略直線状部６のクラッド２よりも低屈折率材料で覆うことにより、コーナ部９で正反射する前記角度θ１の範囲が大きくなり、漏れ光の量を低減できる。低屈折材料の媒体８を内面にシリカエアロゲルを塗布したクラッド材１１とした場合、コアとなる導光体７の周囲の屈折率が空気（≒１．００）に非常に近い値となるのでほぼθ１＞４８°の広い範囲の光が全反射することとなる。
【００２３】
さらにコーナ部９で反射された反射光は、曲がった先の光ファイバ３内で反射されることとなるが、その際の入射光はコーナ部９の後の光ファイバ３の光軸に対して、より小さい角度となるので、その大部分の光は漏れることなく全反射する。
【００２４】
第１の実施の形態によれば、コーナ部９での導光ロスを低減しシステムの効率が向上する。またコーナ部９の曲率半径を小さくできることからコーナ部９がコンパクトになり、狭い空間でも効率的に設置できる。
【００２５】
この発明の請求項２に対応する第２の実施の形態を図２に示す。すなわち、この光ファイバ照明システムは、第１の実施の形態のコーナ部９の構成を、コア１に連続した導光体７であるコアの周囲のクラッド等を除去し、導光体７を露出したものである。
【００２６】
図２（ｂ）に示すように、θ１がθ２＝９０°となるときの値以上の光は全て導光体７の表面で全反射して導光する。その角度は前記したように、
θ１＞sin -1(n2/n1)
である。この場合、導光体７の周囲は空気であるから、第１の実施の形態でも示した通りコーナ部９での全反射領域がθ１＞４８°と最も広い範囲となる。したがって、最も導光ロスを低減できる構造である。
【００２７】
第２の実施の形態によれば、コーナ部９での導光ロスをより一層低減でき、システムの効率が向上する。またコーナ部９をコンパクトにでき、狭い空間でも効率的に設置できる。その他の構成および効果は第１の実施の形態と同様である。
【００２８】
この発明の請求項３に対応する第３の実施の形態を図３に示す。すなわち、この光ファイバ照明システムは、第１の実施の形態または第２の実施の形態のコーナ部９の構成を、略直線状部６と一体ではなく、別体のコーナ部材９ａにより構成して略直線状部６に接続したものである。第３の実施の形態ではコーナ部９をあらかじめ曲がり形状に形成した、光ファイバ３と同じ断面形状のガラスにより形成している。光ファイバ３とコーナ部材９ａとの接続は、端面を突き合わせてテフロン（登録商標）の熱収縮チューブ１２で両者を締付けて固定している。
【００２９】
一般にガラスはファイバコア材である軟質アクリルよりも屈折率が大きいため導光光がガラスに入射する際、コーナ部材９ａの入射端側のファイバの光軸側に屈折することから、コーナ部９での反射がさらに有利となる。さらにコーナ部９を別体とすることにより、コーナ部９のクラッド除去および形状形成の工数が省け、施工性が向上する。また光ファイバ３のコーナ部９での応力集中による劣化を防止できるので、耐久性が向上する。
【００３０】
なお、コーナ部９はアクリル系の樹脂でもよい。また略直線状部６とコーナ部９との接続部は端面同志をアクリル系の接着剤で接着してもよい。
【００３１】
この発明の請求項４に対応する第４の実施の形態を図４に示す。すなわち、この光ファイバ照明システムは、第２の実施の形態において、コーナ部９が略孤状の形状としたものである。
【００３２】
光ファイバ３をある方向に曲げる場合、コーナ部９より光源側の光ファイバ３の光軸方向に対してコーナ部９の反射面はある傾きをもつため、導光光の１部は反射の臨界角を超えて光漏れが生じるようになる。そして光漏れは、コーナ部９の傾きの微分変化量が急な部分がある程大きい。従って、コーナ部９の形状は、傾きの微分変化量がほぼ一定である曲率半径Ｒの略円弧状とした場合が最も導光ロスを低減できる。さらに、第１の実施の形態から第３の実施の形態の構造では、従来の構造に比べてコーナ部９の臨界角が大きいため、さらに導光ロスを低減できる。また、小さい曲率形状が可能となる。
【００３３】
第４の実施の形態は、第１の実施の形態のみならず第２の実施の形態および第３の実施の形態に対しても適用でき、さらにコーナ部９での導光ロスを低減し、システムの導光効率を向上することができる。コーナ部９がコンパクトになり、狭い空間でも効率的に設置できる。
【００３４】
この発明の請求項５に対応する第５の実施の形態を図５に示す。すなわち、この光ファイバ照明システムは、第４の実施の形態において、コア１のコア断面の外径φがφ＝１２の光ファイバ３、コーナ部９の外径ＲがＲ＝３０としたものである。
【００３５】
コーナ部９に入射した光が最も漏れやすいのは、第１反射面であり、その領域での反射面の傾きが大きいほど漏れ量は大きくなる。さらに、第１反射領域での傾きは、ファイバコア直径である外径φに対するコーナ部９の外径半径Ｒの比Ｒ／φが小さいほど大きくなるため、漏れ光の量はＲ／φが臨界角を超えるある値以下は急激に多くなる。
【００３６】
図５（ｂ）は図１の構造でかつ楕円反射鏡付の光源から発した集光光をファイバ入射端から入射させたモデルについて、光学シミュレーションを用いてコーナ部での導光効率を計算した結果である。なお、導光効率は、（コーナ部９の後の光ファイバの２５ｃｍ先の断面を通過する光束／コーナ部９への入射光束）×１００％であり、Ｑ１は光ファイバの略直線状部６と同じ通常の構造の特性を示し、Ｑ２はコーナ部９の特性を示している。この結果より、特性Ｑ１では外径Ｒが１５ｍｍから７５ｍｍでは導光効率が７０％を超えず、外径Ｒを２００ｍｍにすれば７０％以上の導光効率が得られる。一方、本構造による特性Ｑ２ではＲ／φ≧２．５（＝３０／１２）以上にすれば、導光効率が７０％を超える最高の導光効率が得られることが分かる。従って、コーナ部９をＲ／φ＝２．５であるＲ＝３０とするのが最もコンパクトとなる。
【００３７】
第５の実施の形態によれば、第４の実施の形態においてさらに、最も導光効率が良くかつコンパクトな構造となる。
【００３８】
この発明の請求項６に対応する第６の実施の形態を図６に示す。すなわち、この光ファイバ照明システムは、第５の実施の形態において、コーナ部９の導光体７を保護し、かつその形状を保持する保護・形状保持手段で覆ったものである。実施の形態の保護・形状保持手段はコーナ部９を覆うよう取付けられたカバー１４が用いられ、カバー１４の外郭の内面はコーナ部９の導光体７と非接触で空気層が介在されている。コーナ部９の内側が、カバー１４内に設けられた先端が小さい曲率をもつ突起手段１５に接触し支持されている。突起手段１５の先端が略孤を描いており、したがってそれに支持されるコーナ部９も略孤を形成する。またカバー１４内のファイバ挿入口付近のファイバ部に固定手段である硬質ゴム１６が設けられており、これでコーナ部９の両端付近の光ファイバ３を締付けて挟み込むことにより、コーナ部９の形状を維持し、かつカバー１４とコーナ部９の位置関係がずれないようにしている。
【００３９】
上記構成のカバー１４を設けることにより、コーナ部９の形状を容易に維持でき、かつ塵や埃が導光体７に付着しにくくなる。また、コーナ部９はコアの導光体７が剥き出しとなるが、このカバー１４を設けることによりコア周囲が設置位置周辺の部材との接触や、塵および埃の付着を防止でき、安定して空気が覆われることになるため、安定した導光効率が得られる。
【００４０】
但し、コーナ部９の内側で突起手段１５と若干の接触があるが、この程度の小さい曲率半径ではコーナ部９での反射の大部分はコーナ部９の外側で起こるため、接触による光漏れは殆どない。
【００４１】
第６の実施の形態によれば、第１の実施の形態から第５の実施の形態において、形状を形成しやすいため、施工性が向上する。コーナ部９の周囲が容易に空気層で保持されるため、安定して導光効率が得られ、信頼性が向上する。また保護・形状保持手段１４によりコーナ部９に塵や埃が付着しにくい。
【００４２】
この発明の請求項６に対応する第７の実施の形態を図７に示す。すなわち、この光ファイバ照明システムは、第６の実施の形態において、コーナ部９がコア剥き出しの状態であり、コーナ部材９の内側を支持しコーナ部９の形状を形成する突起手段１５とコーナ部９の内側の間に、光ファイバ３のクラッド２よりも低屈折率部材１７を設けている。
【００４３】
第７の実施の形態によれば、第６の実施の形態と同様な効果のほか、低屈折率部材１７により突起手段１５とコーナ部９の接触界面からの光漏れが防止でき、導光ロスがさらに低減できる。その他の構成および効果は第６の実施の形態と同様である。
【００４４】
この発明の請求項６に対応する第８の実施の形態を図８に示す。すなわち、この光ファイバ照明システムは、第６の実施の形態において、コーナ部９が第３の実施の形態のように別体に構成され、かつコーナ部材９ａそれ自身で形状を維持できるガラスであり、カバー１４の内部でコーナ部材９ａの内周側および外周側の双方に点接触あるいは線接触して、コーナ部材９ａを保持する突起手段１５ａ、１５ｂを設けてある。
【００４５】
この実施の形態によれば、第６の実施の形態において、カバー１４の内部に設けた突起手段１５ａ、１５ｂで接触面積を最小限にしてコーナ部材９ａが固定される。また突起手段１５ａ、１５ｂを増やすことにより、自身で形状を維持できない軟質材料でも適用できる。
【００４６】
その他の構成および効果は第６の実施の形態と同様である。
【００４７】
この発明の請求項６に対応する第９の実施の形態を図９に示す。すなわち、この光ファイバ照明システムは、第６の実施の形態において、低屈折率の媒体８が保護・形状保持手段を兼ねるものである。第９の実施の形態では、硬質のカバー１４の内面形状がコーナ部９の導光体７の形状と一致し、コーナ部９の導光体７は自身で形状を維持できない軟質アクリルにより形成され、その周囲の媒体８をクラッド材であるフッ素樹脂よりも低屈折材料であるシリカエアロゲル１８を内側に塗布したフッ素樹脂により構成している。
【００４８】
第６の実施の形態において、カバー１４の内部にコーナ部９を挿入することにより、硬質のカバー１４により容易にコーナ部９の形状を形成維持することができる。カバー１４とコーナ部９との間にはシリカエアロゲル１８が介在するためカバー１４とコーナ部９は接触しない。
【００４９】
第９の実施の形態によれば、コーナ部９の形状を容易に維持することができる。またカバー１４により、導光体７に指紋の付着、あるいは他の建築部材との接触、ゴミの付着による導光ロスを妨げるため、さらに導光効率が向上し、システムの効率の信頼性が向上する。またコーナ部９を手で触れたり建築部材との接触に注意する必要がないため施工性が向上する。
【００５０】
【発明の効果】
請求項１記載の光ファイバ照明システムによれば、コーナ部の外周面がクラッドより低屈折率の媒体で覆われているため、コーナ部での導光ロスを低減でき、システムの導光効率を向上することができる。またコーナ部の曲率半径を小さくできることからコーナ部がコンパクトになり、狭い空間でも効率的に設置できる。
この場合、コーナ部の導光体が、光ファイバのクラッドを除去してコアを露出することにより形成されているため、最も導光ロスを低減でき、かつ狭い空間でも効率的に設置できる。
また、コーナ部の前記導光体を保護し、かつコーナ部の形状を保持する保護・形状保持手段で覆ったため、コーナ部の形状を容易に維持でき、かつ導光体に塵や埃が付着しにくくなる。また、コーナ部にコアが剥き出しであっても、保護・形状保持手段を設けることにより導光体の周囲が設置位置周辺の部材との接触、塵や埃の付着を防止でき、安定して空気が覆われることになるため、安定した導光効率が得られる。
【００５１】
請求項２記載の光ファイバ照明システムによれば、請求項１と同様な効果のほか、突起手段とコーナ部の接触界面からの光漏れを防止できる。
【００５２】
請求項３記載の光ファイバ照明システムによれば、導光体の外周面が導光体およびクラッドより低屈折率の媒体で覆われているため、コーナ部での導光ロスを低減でき、システムの導光効率を向上することができる。またコーナ部の曲率半径を小さくできることからコーナ部がコンパクトになり、狭い空間でも効率的に設置できる。
またコーナ部の導光体は、光ファイバとは別体に形成されているため、コーナ部のクラッドを除去したりコーナ部の形状を形成する工数が省け、施工性を向上することができる。また光ファイバのコーナ部での応力集中による劣化を防止でき、耐久性を向上できる。
保護・形状保持手段により、コーナ部の形状を容易に維持でき、かつ導光体に塵や埃が付着しにくくなる。また、コーナ部にコアが剥き出しであっても、保護・形状保持手段を設けることにより導光体の周囲が設置位置周辺の部材との接触、塵や埃の付着を防止でき、安定して空気が覆われることになるため、安定した導光効率が得られる。
【００５３】
請求項４記載の光ファイバ照明システムによれば、請求項１、請求項２または請求項３と同様な効果のほか、さらにコーナ部での導光ロスを低減でき、システムの効率を向上できるとともにコーナ部がコンパクトになる。
【００５４】
請求項５記載の光ファイバ照明システムによれば、請求項４と同様な効果のほか、最も導光効率が良くかつコンパクトな構造となる。
【図面の簡単な説明】
【図１】この発明の第１の実施の形態の光ファイバのコーナ部を断面にした概略平面図である。
【図２】（ａ）は第２の実施の形態の光ファイバのコーナ部を断面にした概略平面図、（ｂ）は境界面の光の屈折を説明する説明図である。
【図３】第３の実施の形態の光ファイバのコーナ部を断面にした概略平面図である。
【図４】第４の実施の形態の光ファイバの概略平面図である。
【図５】（ａ）は第５の実施の形態の光ファイバの概略平面図、（ｂ）はコーナ部外側半径Ｒに対する導光効率を示すグラフである。
【図６】第６の実施の形態の光ファイバのコーナ部を断面にした概略平面図である。
【図７】第７の実施の形態の光ファイバのコーナ部を断面にした概略平面図である。
【図８】第８の実施の形態の光ファイバのコーナ部を断面にした概略平面図である。
【図９】第９の実施の形態の光ファイバのコーナ部を断面にした概略平面図である。
【図１０】（ａ）は従来例の光ファイバの概略平面図、（ｂ）はその端面図、（ｃ）は境界面の光の屈折を説明する説明図である。
【符号の説明】
１    コア
２    クラッド
３    光ファイバ
６    略直線部
７    導光体
８    媒体
９    コーナ部
１４    保護・形状保持手段であるカバー
【図１】
0003772560.tif 000002
【図２】
0003772560.tif 000003
【図３】
0003772560.tif 000004
【図４】
0003772560.tif 000005
【図５】
0003772560.tif 000006
【図６】
0003772560.tif 000007
【図７】
0003772560.tif 000008
【図８】
0003772560.tif 000009
【図９】
0003772560.tif 000010
【図１０】
0003772560.tif 000011